(57)【要約】  【課題】  操作性や信頼性を損なうことがなく、しかも使用者の体が触れたときに不快感をもたらすおそれがない小型電子機器及びこれに装着するカバーを提供する。  【解決手段】  表示部１３を有する第１筐体１、操作部２１を有する第２筐体２及びこれらの筐体１、２を特定間隔保持してそれぞれの一面を固着する折曲可能なシート部３を有する本体部Ａと、この本体部Ａに被着するカバーＢとを有する折曲げ型携帯電話機において、本体部Ａのシート部３は、第１、第２の筐体１、２よりも側方に突出するフランジ部３Ａを有し、カバーＢは、第１、第２筐体１、２間の連結部分で折曲可能であるとともに、外縁部分をフランジ部３Ａに係止させてシート部３に被着する袋状の周辺部５１を有する。【選択図】  図１
2005136261.tif 000002
【特許請求の範囲】
【請求項１】
機器本体を収めた筐体及びこの筐体を固着するシート部を有する本体部と、この本体部に被着するカバーとを有する小型電子機器において、
前記本体部の前記シート部は、前記筐体よりも側方に突出するフランジ部を有し、
前記カバーは、前記フランジ部に係止させて前記シート部に被着する袋状の周辺部を外縁部に有する小型電子機器。
【請求項２】
表示部を有する第１の筐体、操作部を有する第２の筐体及びこれらの筐体を特定間隔保持してそれぞれの一面を固着するとともに前記第１、第２の筐体間の連結部分で折曲可能なシート部を有する本体部と、この本体部に被着するカバーとを有する小型電子機器において、
前記本体部は、前記第１、第２の筐体よりも側方に突出するフランジ部を有し、
前記カバーは、少なくとも前記連結部分に対応する部分で折曲可能であるとともに、外縁部分に前記フランジ部に係止させて被着する袋状の周辺部を有する小型電子機器。
【請求項３】
前記シート部は、前記連結部分以外の外縁部に前記フランジ部を有する請求項２に記載の小型電子機器。
【請求項４】
請求項１〜３のいずれか１項に記載の小型電子機器に装着するカバーであって、
本体部のフランジ部に着脱自在に装着するカバー。
【発明の詳細な説明】
【技術分野】
【０００１】
本発明は、接触しても痛みなどもたらすおそれのないカバーを取付けることができる携帯端末装置やＰＣ（パーソナルコンピュータ）などの小型電子機器及びこれに装着するカバーに関するものである。
【背景技術】
【０００２】
近時、携帯電話機が各種開発され使用されているが、この携帯電話機は、剥き出し状態のままバッグや鞄に入れられたり、自動車の室内にそのまま無造作に置かれていると、何かにぶつかって損傷したり、誤動作するおそれがある。そこで、このような携帯電話機の保護を目的として、あるいは使用者の好みに合わせた装飾性などを兼用させる目的として、携帯電話機専用のケースが開発され使用されている。通常、この専用ケースは、厚手の皮革、布地或いは合成樹脂材料などで形成されており、使用の際にはケースから取り出して操作しなければならないものが一般的であったので、操作が煩わしいという不都合などがあった。
【０００３】
そこで、携帯電話機の表示部やキー操作部などに対応する部分を柔らかい透明カバーで覆うようにしたものも開発されている。また、このようなタイプの専用ケースには、通常、ケースに収容した状態のまま使用できるようにするため、送話部及び受話部に対応する部位に透孔を設けている。一方、このようなケースを装着する携帯電話機は、機種などによって、形状もまちまちであり、また、幅や奥行き或いは厚さなどの寸法が異なることが多いので、ケースの材料に伸縮性のものを用いてこの寸法差を吸収できるようにしたものも知られている。
【０００４】
ところが、このようなケースでは、このケースと携帯電話機本体との間に隙間があると、この隙間を伝わって受話部のスピーカから送話部のマイクロホンへ音声などが伝播し、音の回り込み現象などを発生する場合があるなどの不具合を生じている。
【０００５】
そこで、携帯電話機本体の両側面と裏面にほぼ密着する伸縮性の布性部材と、携帯電話機本体上部を押さえて係止部材で止める帯状体と、携帯電話機の表示部とキー操作部を覆うように布性部材に溶着した可撓性透明部材と、携帯電話機の送話部のマイクロホンの周りを囲むように可撓性透明部材の内側に設けた遮音リングと、携帯電話機の受話部のスピーカの周りを囲むように帯状体の内側に設けた吸音部材とを備えた、携帯電話機の外表面に装着されるキャリングケース（ファッションカバー）が、提案されている（例えば、特許文献１参照）。
【特許文献１】特開２０００−１３９５３７号公報
【発明の開示】
【発明が解決しようとする課題】
【０００６】
しかしながら、このキャリングケースは、表示部や操作部を覆う可撓性透明部材を用いていたため、この可撓性透明部材が歪んでいた場合には表示部に表示された文字情報を鮮明に認識することができなかった。また、キー操作部を操作しようとしても、可撓性透明部材が複数のキー操作部に跨って設けられていたので、複数のキー操作部のうち、いずれのキーを操作したのか判別しづらかったり誤操作する場合があった。
【０００７】
そこで、この可撓性透明部材を廃止して別のものにしようとすると、例えば布性部材などで受話部のスピーカや送話部の周辺のみを覆うことが考えられる。ところが、このような構成にすると、例えば携帯電話機のキー操作部が設けられた部分の側面側などには布性部材が残存することがある。そのため、その布性部材とを有するケースを取付けた携帯電話機では、使用者が頬に当てながら送受話するとき、頬にその布性部材の縁部や段差部などが当接すると、不快感をもたらすおそれがある。
【０００８】
このように、可撓性透明部材を取り除いたことによる発生するケースの縁部、特に折り曲げたときなどに発生する端部などのように局所的に硬くなった部分は、折り曲げたときなどにケースの側部などから大きく外部に突出する場合があるが、この突出部分が体に触れたときに痛みを伴うなど好ましくないので、使用者に不快感を与えるおそれがあった。
こういった事情から、可撓性透明部材を設けずにその部分を開口させたものであって、しかも体に触れたときに不快感をもたらすおそれのないカバーが求められているが、実用化されていない。また、受話部のスピーカや送話部のマイクロホンの周辺も覆わないようにしたカバーでは、携帯電話機の本体が、覆われていない面の方向にカバーから外れてしまうなどの理由から、携帯電話機に装着することができなかった。
【０００９】
そこで、本発明は、操作性や信頼性を損なうことがなく、しかも使用者の体が触れたときに不快感をもたらすおそれがないカバーを装着させた小型電子機器及びこれに装着するカバーを提供することを目的とする。
【課題を解決するための手段】
【００１０】
本発明の小型電子機器は、機器本体を収めた筐体及びこの筐体を固着するシート部を有する本体部と、この本体部に被着するカバーとを有する小型電子機器において、
前記本体部の前記シート部は、前記筐体よりも側方に突出するフランジ部を有し、
前記カバーは、前記フランジ部に係止させて前記シート部に被着する袋状の周辺部を外縁部に有するものである。
【００１１】
上記構成によれば、棒状の携帯電話機やＰＤＡなどの小型電子機器において、これに装着するカバーには、使用者の頬に当るカバー側面などに硬い縁部などを形成することがない。換言すれば、カバーを折り曲げたときなどにカバーの側部などから折り曲げ部分などが外部に大きく突出するおそれがないので、使用者の体が触れたときに不快感を与えるおそれがなくなる。
【００１２】
また、本発明の小型電子機器は、表示部を有する第１の筐体、操作部を有する第２の筐体及びこれらの筐体を特定間隔保持してそれぞれの一面を固着するとともに前記第１、第２の筐体間の連結部分で折曲可能なシート部を有する本体部と、この本体部に被着するカバーとを有する小型電子機器において、
前記本体部は、前記第１、第２の筐体よりも側方に突出するフランジ部を有し、
前記カバーは、少なくとも前記連結部分に対応する部分で折曲可能であるとともに、外縁部分に前記フランジ部に係止させて被着する袋状の周辺部を有するものである。
【００１３】
上記構成によれば、折曲げ型の携帯電話機や電卓或はＰＣ（モバイル型の他に、ラップトップ、デスクトップなどを含む）などの小型電子機器において、これに装着するカバーには、使用者の頬に当るカバー側面などに硬い縁部などを形成することがない。換言すれば、ケースを折り曲げたときなどにケースの側部などから折り曲げ部分などが外部に大きく突出するおそれがないので、使用者の体が触れたときに不快感を与えるおそれがなくなる。
【００１４】
また、本発明の小型電子機器は、前記シート部が、前記連結部分以外の外縁部に前記フランジ部を有するものである。
【００１５】
上記構成によれば、シート部の連結部にフランジ部が全くないので、カバーを折り曲げたときでも、カバーの折り曲げ部分では集中する袋状の周辺部が、そのフランジ部の欠損領域内にまとまって収まり、側部などから外部にはみ出す（突出する）のが回避できるので、使用者の体が触れたときに不快感を与えるおそれが一層防止されたカバーを装着した小型電子機器を提供できる。
【００１６】
また、本発明のカバーは、上記した発明の小型電子機器に装着するカバーであって、
本体部のフランジ部に着脱自在に装着するものである。
【００１７】
上記構成によれば、長期間に亙る使用に伴って汚損したり破損した場合に、他のカバーに交換できるので便宜である。さらに、使用者の好み、気分、ＴＰＯなどに合わせて自由に交換したり、変更させることができる。
【発明の効果】
【００１８】
本発明によれば、キーなどの誤操作や音の回り込み現象などを発生することがないため操作性や信頼性を損なうことがなく、しかも使用者の頬に当るカバー側面などに硬い縁部などを形成することがなく、換言すれば使用者の体が触れたときに不快感を与えるおそれがないカバーを装着させた小型電子機器及びこれに装着するカバーを提供することができる。
【発明を実施するための最良の形態】
【００１９】
以下、本発明の実施の形態について、添付図面を参照しながら説明する。なお、ここでは、本発明の携帯端末装置の一種である携帯電話機として説明する。
図１は本発明の一実施形態に係る携帯電話機の開いた状態を示す斜視図、図２は図１に示す携帯電話機の閉じた状態を示す外観斜視図、図３は図１に示す携帯電話機からカバーを取外した状態を示す斜視図、図４は図２の断面図、図５は本発明の携帯電話機にカバーを取付けるときの途中の状態を示す斜視図、図６は本発明の携帯電話機にカバーを取付け終わる直前の状態を示す斜視図である。
【００２０】
本実施形態の携帯電話機は、図１乃至図３に示すように、本体部Ａと、本体部Ａに着脱自在に装着するカバー（以下、「ファッションカバー」とよぶ）Ｂとから構成されている。
【００２１】
（Ｉ）本体部Ａについて：
本体部Ａは、第１筐体（上筐体）１と、第２筐体（下筐体）２と、第１、第２の筐体１、２を特定間隔保持してそれぞれの一面を固着した連結部（これがシート部を構成する）３とを備えている。
【００２２】
このうち、第１筐体１には、第１の音声出力部である受話部（レシーバ）１１と、第２の音声出力部であるスピーカ１２（図４参照）と、表示部１３と、永久磁石１４などを備えている。
【００２３】
一方、第２筐体２には、操作部２１と、送話部（マイクロホン）２２と、ホール素子２３と、可撓性配線部材（例えば、ＦＰＣ）２４などを備えている。また、第２筐体２には電池２５が着脱可能に装着されているとともに、可撓性配線部材（例えば、ＦＰＣ）２４に沿ってアンテナ２７も内設されている。
【００２４】
なお、図示はしないが、第１筐体１及び第２筐体２には、制御部が実装された第１、第２のプリント基板１５、２６（図４参照）がそれぞれ収容されており、この制御部が前述のレシーバ１１やスピーカ１２、表示部１３等と電気的に接続され、これらを制御するようになっている。
【００２５】
また、連結部３は、フラットな状態のときには安定した状態で第１筐体１と第２筐体２とを保持するのと同時に中央部では局所的に折曲げ可能な適宜の剛性を有する材料（例えば、エラストマーや合成樹脂など）などでシート状に形成されたものであって、第１筐体１と第２筐体２を折曲可能（回動自在）に連結しており、この連結部３の屈曲動作により第１、第２の筐体１、２が開閉可能（図１の矢印α方向）に構成されている。しかも、この連結部３には、図４に示すように、第１筐体１と第２筐体２とに亙り双方の筐体間を電気的に接続する前述の可撓性配線部材２４及びアンテナ２７を配設してあるが、この可撓性配線部材２４及びアンテナ２７を外部から保護するため、絶縁性のある材料を用いて複数層に積層した構成となっており、この層間に可撓性配線部材２４及びアンテナ２７を配設してある。
【００２６】
従って、本実施形態の携帯電話機では、使用せずに携帯する時には、図２に示すように、第１筐体１が第２筐体２と互いに対面（対向）するように閉じ合わせた状態で用いられる。一方、使用する時には、図１に示すように、第１筐体１と第２筐体２との対面状態を解消して本体部Ａが直線状に開いた状態で用いられる。
【００２７】
ここで、第１筐体１、第２筐体２、及び連結部３について、さらに具体的に説明する。
（１）第1筐体１について；
受話部のレシーバ１１は、本実施形態の携帯電話機を通常使用する際に、通信相手の音声を出力するものであり、本体部Ａを閉じたときに第２筐体２と対面する第１筐体１の主面１Ａに設置されており、この主面１Ａ側から音声が出力されるように配設している。
一方、スピーカ１２は、図４に示すように、第１筐体１の主面１Ａにおける連結部３近傍に設けられており、電話やメールなどの受信待ち受け状態のときに、着信音が出力されるようになっている。
【００２８】
表示部１３は、第１筐体１の主面１Ａであって、レシーバ１１とスピーカ１２の間に設けられている。この表示部１３は、液晶表示器（ＬＣＤ）等により構成することが可能であり、例えば文字や記号、数字、画像、地図等を表示するものである。
永久磁石１４は、第１筐体１の角隅部分であってレシーバ１１近傍に配設されている。これら、レシーバ１１とスピーカ１２と表示部１３とは、可撓性配線部材２４を介して第１プリント基板１５に電気的に接続されている。
【００２９】
（２）第２筐体２について；
操作部２１とマイクロホン２２は、本体部Ａが閉じた状態のときに第１筐体１の主面１Ａと対向する第２筐体２の主面２Ａに設けられている。この携帯電話機の使用者は、操作部２１を操作して、受話や終話の操作、レシーバ１１やスピーカ１２から出力される音量の調節、文字や記号、数字の入力などの各種操作設定ができる。
【００３０】
マイクロホン２２は、第２筐体２の両端部のうち連結部３に臨む端部とは反対側の端部寄りに配設されている。ホール素子２３は、本体部Ａが閉じた状態のときには永久磁石１４と対向するような配置で、プリント基板２６（図４参照）に搭載されている。
【００３１】
ここで、このホール素子２３について、具体的に説明する。
携帯電話機の本体部Ａが閉じられた閉状態では、図４に示すように、永久磁石１４がホール素子２３に近接するため、ホール素子２３が永久磁石１４の磁界を検出して制御部に検出信号を出力する。一方、携帯電話機の本体部Ａが開かれた開状態であれば、永久磁石１４がホール素子２３から離隔される。この結果、ホール素子２３は永久磁石１４の磁界を検出できないため、ホール素子２３は検出信号を生成しない。つまり、ホール素子２３が永久磁石１４の磁界を検出すると携帯電話機の本体部Ａは閉じた状態であり、検出できなければ携帯電話機が開いた状態である。
【００３２】
本実施形態では、この携帯電話機が閉じた状態のとき、受信待受け状態であれば表示部１３には何も表示されず、開いた状態であれば表示部１３には受信電界強度を示すマーク、電池残容量情報、時刻情報や着信情報等が表示される。
【００３３】
（３）連結部３について；
連結部３は、本体部Ａが閉じられるときには屈曲し、本体部Ａが開かれるときには屈曲状態が解消されるものであって、熱可塑性ポリエステルエラストマやポリウレタン樹脂などで形成されており、本体部Ａが閉じられるときに容易に屈曲する。そして、この連結部３内には、前述したように可撓性配線部材２４とアンテナ２７が設けられている。
【００３４】
この連結部３には、第１筐体１の主面１Ａとは反対面から第２筐体２の主面２Ａとは反対面に亙って連設されており、特に、この周縁部、即ち、第１筐体１の主面１Ａと境界を接する４つの側面（４面）のうちの３つの側面（以下、３側面）１Ｂと、第２筐体２の主面２Ａと境界を接する４つの側面（４面）のうちの３つの側面（以下、３側面）２Ｂには、これらの側面よりも外部に向けて突出するフランジ部３Ａが形成されている。
つまり、図３において、第１筐体１及び第２筐体２の幅をＷ１としたとき、フランジ部３Ａは、第１、第２筐体１、２の３側面１Ｂ、２ＢよりＷ２だけ突出している。
なお、本実施形態では、連結部３は長手方向について一方の端部（例えば、上端部）から他方の端部（例えば、下端部）まで同じ幅寸法で略矩形状に形成してあるとともに、全周に亙ってフランジ部３Ａを設けてあるが、第１、第２の筐体１、２の間の連結部分の周縁部にはそのフランジ部を設けてなくても良い。
【００３５】
（ＩＩ）ファッションカバーＢについて：
次に、ファッションカバーＢについて具体的に説明する。
このファッションカバーＢは、例えば、本体５がジャージ素材、革部材など、ファッション性に富んだ適宜の可撓性材料で形成してあり、この本体５には、断面が略コの字状（袋状）の鉤状部５１を外縁部分の一面側に設けているとともに、この鉤状部５１を設けた一面（これを内面とよぶ）とは反対面（これを外面とよぶ）の一端（図３では右端。以下、これを基端とよぶ）に後述の第１係止部５２を設けている。また、この本体５の一部には、スピーカ１２の放音のために略円形状の孔５３が開口されている。
【００３６】
鉤状部５１は、連結部３のフランジ部３Ａを挿入・係止させて本体５を連結部３に装着させるものであり、本体５の周縁部の全体に亙り外縁部分が内側に向けて折返されて縫製され、しっかりと止付けてあるが、ファッション性を向上させるために、この鉤状部５１の外表面にはさらにバイアステープ（或いは、面ファスナ又はマジックテープ）等を設けてもよい。なお、この鉤状部５１は、本実施形態の場合、外縁部の全周に亙って形成してあるが、第１、第２の筐体１、２の間の連結部分に対応するところの周縁部にはその鉤状部を設けなくてもよい。
【００３７】
第１係止部５２は、先端が略球状の突起を有し、後述する第２係止部６１に形成された凹部と嵌合する。
【００３８】
また、この本体５の表面の他端（図３では左端。以下、これを先端とよぶ）には、本体５を閉じた時に、本体５の基端側に設けた第１係止部５２に係合させ、本体５が閉鎖状態を保持して開かれることを防止するため、ベルト状の閉止手段６を本体５に縫製して取付けてある。この閉止手段６の先端には、第１係止部５２と係合する第２係止部６１を設けている。なお、この閉止手段としては、本実施形態のようなベルト状のものにボタンやスナップなどのようなものを設けた構成に限定されるものではなく、例えば磁性体と永久磁石などとを用いてもよい。
【００３９】
次に、本実施形態に係る携帯電話機の動作について説明する。
上述のように構成された本実施形態の携帯電話機にあっては、組立専用工場などで本体部Ａが完成され、この本体部Ａに対して、組立専用工場或いは使用者自らが、ファッションカバーＢを装着する。従って、例えばファッションカバーＢを着脱自在に装着するような構成とすれば、ファッションカバーＢが汚れたり破れるなど外観を損なう事態が生じた場合、そのファッションカバーＢを洗濯したり交換するだけで、新品と同様に回復できる。
【００４０】
ここで、図５及び図６を用いて、ファッションカバーＢを本体部Ａに装着するときの動作について、詳細に説明する。
図５及び図６は、ファッションカバーを本体部に装着する時の動作を説明する図である。同図に示すように、まず、初めに、本体部Ａを閉じ方向とは逆向きに折曲させた状態（本体部Ａを開いた状態から、さらに矢印α（図１参照）方向へ開いた状態）にすると、第１筐体１側に形成されたフランジ部３Ａの最端部（これを最先端とよぶ）から第２筐体２側に形成されたフランジ部３Ａの最端部（これを最後端とよぶ）までの距離Ｌ１を、ファッションカバーＢの鉤状部５１の内法の長さＬ２より短くすることができる。
【００４１】
そこで、この状態のまま、フランジ部３Ａの最先端と最後端とをファッションカバーＢの本体５の鉤状部５１に挿入する。この挿入後、本体部Ａをフラットな平面状に戻していく。この戻す途中の状態を図５に示す。
本体部Ａをフラットな平面状に戻す途中の状態では、鉤状部５１の中に連結部３のフランジ部３Ａがまだ完全には装着されていないので、フランジ部３Ａの全周を鉤状部５１の中に潜り込ませると、ファッションカバーＢの本体部Ａへの装着が完了する。
【００４２】
このようにして、本体部ＡにファッションカバーＢをしっかりと装着すると、フランジ部３Ａと第１筐体１の裏面（主面１Ａとは反対面）と第２筐体２の裏面（主面２Ａとは反対面）とを殆ど隙間（浮き上がり）なく密着状態で覆うことができる。
なお、ファッションカバーＢは本体部Ａに着脱可能に装着されており、このファッションカバーＢを本体部Ａから取外す時は、装着動作とは逆の順序に行えばよい。
【００４３】
従って、本実施形態によれば、アンテナ２７やプリント基板１５、２６など本体部Ａを構成する構成部品は、ファッションカバーＢの有無に関わらず本体部Ａに備えられてあるので、ファッションカバーＢの着脱に関係なく携帯電話機の品質、性能が保証される。
【００４４】
なお、本実施形態では、本体部Ａを閉じた状態で外面に露出し、閉じた状態でも着信情報、時刻情報を表示することができる第２の表示部を備えていないが、第２の表示部を第１筐体１の裏面などに設けても良い。このとき、ファッションカバーＢは、第２の表示部と対応する位置に透明部を設け、表示される文字等が外部から視認できるようにするか、透孔などを設ければよい。また、第３者に見られないようにするために、例えば、透明部や透孔を覆う開閉カバーを設け、使用者が第２の表示部を見るときには、捲ることで表示情報が確認できるようにしてもよい。
【００４５】
以上説明してきたように、従来は少なくとも表示部１３や操作部２１を覆うような構成の袋状のファッションカバーを用いてこれを携帯電話機の本体に装着させていたが、本発明では、本体部Ａは、第１筐体１と第２筐体２の外周と連結部３とを続一体的に繋げるとともに、連結部３は外縁部が第１筐体１と第２筐体２の外周よりも外方に突出したフランジ部３Ａを設け、このフランジ部３ＡにファッションカバーＢを装着させるように構成した。
【００４６】
また、本実施形態によれば、従来のヒンジ装置を用いていないので、連結部３のボリューム感がなく、小型な装置を実現しながら、カスタマイズ、リフレッシュ（着せ替え）可能な装置の提供ができる。しかも、特に本発明によれば、従来のヒンジ装置を用いていないので、連結部３の第１筐体１の主面１Ａや第２筐体２の主面２Ａを取り付けている一面３Ｂは、第１筐体１の主面１Ａや第２筐体２の主面２Ａより高く突出していないため、操作部２１を操作するときに、爪の長い人であっても連結部３に爪が当るなどの不都合を生じないようになっている。
【００４７】
さらに、本実施形態によれば、本体部Ａのフランジ部３には簡単な操作でファッションカバーＢを被せることができ、ファッションカバーＢが装着させた状態で本体部Ａを折り曲げたときには、第１、第２筐体１、２の外表面すべてを覆うことができるので、携帯電話機の保護手段となり、何かに衝突して筐体部分が破損したり、その内部の電子機器など故障するといったトラブルを防止することができる。
【００４８】
また、本実施形態によれば、例えば、ファッションカバーＢとして種々タイプのものを提供すれば、洋服や靴に合わせることができるなど、使用者は好みに応じて交換したりすることができる。また、ファッションカバーＢが汚れた際には、交換して洗濯もできるなど、常に、新鮮さを維持できる。
【００４９】
さらに、本実施形態によれば、表示部１３に表示される文字や画像等の情報を鮮明に表示したときこの表示された情報の視認性の低下や、操作部２１を操作する際の操作性の低下、例えば長い爪の指先でも爪の先がヒンジ部に衝突してうまくキーを操作できないといったトラブルが回避できる。
【００５０】
なお、本実施形態では、本体部Ａの周縁部にフランジ部３Ａを付設した構造としたが、例えば、連結部３のフランジ部３Ａに第１、第２の筐体１、２の主面１Ａと同じ向きの面の縁部に沿って、ワンタッチで止め付けられ、引っ張ると簡単にはがせられる面ファスナーを設けるとともに、ファッションカバーＢの鉤状部５１にも面ファスナーを設け、両ファスナーを密着させるようにして固定するように構成して、本体部Ａに対するファッションカバーＢの保持力を強化しても良い。
【００５１】
また、本実施形態では、本体部Ａに対してファッションケースＢが分離される構造として説明してきたが、ファッションカバーを本体部の連結部のフランジ部に縫製してもよい。このような構成とすれば、ファッションカバーの着脱はできないが、本体部と一体となるので、一体感を好む使用者の要望にも対応することができる。
【００５２】
なお、本発明は上述した実施形態に何ら限定されるものではなく、その要旨を逸脱しない範囲において種々の形態で実施し得るものである。例えば、本実施形態のような折曲げ型の携帯電話機ではなく、ストレート状（棒状）のものでも適用可能であり、勿論その場合には筐体が１個のみとなる。
また、本実施形態の折曲げ型の携帯電話機は、上下（縦）方向に筐体を配設して開閉させているが、左右（横）方向に配設して開閉させるようなタイプでもよい。
また、本発明の小型電子機器としては、このような携帯電話機以外にも適用可能であって、例えばＰＤＡ、電卓、電子辞書、モバイル型のＰＣ、あるいは表示部や操作部のある筐体部分が小型であればノート型のＰＣなどにも適用可能である。
【産業上の利用可能性】
【００５３】
本発明の小型電子機器は、カバーが容易に着脱できるので、使用者の好みに適応した装置の提供ができるとともに、表示部に表示される文字や画像等の情報を鮮明に表示したときこの表示された情報の視認性の低下や、操作部を操作性の低下、さらにはカバーの端部や縁部が接触して不快感をもたらすといったことが回避できる効果を有し、表示部や操作部を有する主面に対して隣接する側面にフランジ部を形成し、このフランジ部に着脱可能なカバーを備えることができる携帯電話機やＰＤＡ等の携帯端末装置あるいはモバイル用ＰＣ等の小型電子機器に好適である。
【図面の簡単な説明】
【００５４】
【図１】本発明の実施形態に係る携帯電話機の開いた状態を示す斜視図
【図２】本発明の実施形態に係る携帯電話機の閉じた状態を示す斜視図
【図３】図１に示す本発明の携帯電話機の分解斜視図
【図４】図１に示す本発明の携帯電話機を閉じたときの断面図
【図５】図１に示す本発明の携帯電話機の本体部にファッションカバーを装着するときの途中の状態を示す斜視図
【図６】図１に示す本発明の携帯電話機の本体部にファッションカバーを完全に装着する直前の状態を示す斜視図
【符号の説明】
【００５５】
Ａ  本体部
Ｂ  ケース（ファッションカバー）
１  第１筐体
１Ａ  主面
１Ｂ  ３側面
１１  第１の音声出力部（受話部；レシーバ）
１２  第２の音声出力部（スピーカ）
１３  表示部
１４  永久磁石
１５、２６  第１、第２のプリント基板
２  第２筐体
２Ａ  主面
２Ｂ  ３側面
２１  操作部
２２  送話部（マイクロホン）
２３  ホール素子
２４  可撓性配線部材（ＦＰＣ）
２５  電池
２７  アンテナ
３  連結部（シート部）
３Ａ  フランジ部
５  本体
５１  周辺部
５２  第１係止部
５３  孔
６  止着部材
６１  第２係止部
【図１】
2005136261.tif 000003
【図２】
2005136261.tif 000004
【図３】
2005136261.tif 000005
【図４】
2005136261.tif 000006
【図５】
2005136261.tif 000007
【図６】
2005136261.tif 000008